(57)【要約】【課題】食品包装袋や封筒だけでなく、豆腐包装パッケージ等も難なく開封できる使い勝手の良いカッターを提供する。【解決手段】本考案のカッター１は、第１面１１Ａが設けられた第１部材１１と、第１面１１Ａに対向した第２面１２Ａが設けられた第２部材１２と、第１・第２部材１１，１２の一端１１Ｂ，１２Ｂ同士を接続しつつ第１・第２面１１Ａ，１２Ａ間の距離が近づくように第１・第２部材１１，１２の少なくとも一方を弾性変形できる連結部１３と、を有した本体１０を備える。刃２０は第１部材１１に設けられる。第１位置から第２位置まで第２面１２Ａ上を摺動可能なスライドパーツ３０が設けられる。第１位置では弾性変形により刃２０がスライドパーツ３０の一部分３１に接触可能である一方、第２位置では刃２０がスライドパーツ３０よりも前方に移動する。【選択図】図１
0003187421.tif 000002
【実用新案登録請求の範囲】
【請求項１】
第１面が設けられた第１部材と、前記第１面に対向した第２面が設けられた第２部材と、前記第１・第２部材の一端同士を接続しつつ前記第１・第２面間の距離が近づくように前記第１・第２部材の少なくとも一方を弾性変形できる連結部と、を有した本体と、
前記第２部材に向かって前記第１面から突き出るように前記第１部材に設けられた刃と、
を備えた開封用カッターであって、かつ、
第１位置から第２位置まで前記第２面上を摺動可能なスライドパーツをさらに備え、
前記第１位置では前記弾性変形により前記刃が前記スライドパーツの一部分に接触可能である一方、前記第２位置では前記刃が前記スライドパーツよりも前方に移動することを特徴とする開封用カッター。
【請求項２】
前記スライドパーツが前記第２部材から着脱自在に設けられていることを特徴とする請求項１に記載の開封用カッター。
【請求項３】
前記第２位置にて前記第１部材と前記第２部材とを近づけた際の前記刃と前記スライドパーツの先端との距離が、被開封物の側壁の厚さ以上になるよう前記第２位置が設定されていることを特徴とする請求項１又は２に記載の開封用カッター。
【請求項４】
前記第１部材が前記本体の上側に設けられた部材であり、かつ、前記第２部材が前記本体の下側に設けられた部材であることを特徴とする請求項１〜３のいずれかに記載の開封用カッター。
【請求項５】
前記スライドパーツの前記部分が他の部分よりも第１部材側に向かって隆起していることを特徴とする請求項１〜４のいずれかに記載の開封用カッター。
【請求項６】
前記スライドパーツ及び前記第２部材には、前記スライドパーツを少なくとも前記第１位置及び第２位置で一時的に固定可能な規制手段が設けられていることを特徴とする請求項１〜５のいずれかに記載の開封用カッター。
【請求項７】
前記第２部材に形成される前記規制手段は前記第２面上に形成された凸部である一方、
前記スライドパーツに形成される前記規制手段は前記凸部に係合可能に形成されていることを特徴とする請求項６に記載の開封用カッター。
【請求項８】
磁石をさらに備えた請求項１〜７のいずれかに記載の開封用カッター。
【請求項９】
第１面が設けられた第１部材と、前記第１面に対向した第２面が設けられた第２部材と、前記第１・第２部材の一端同士を接続しつつ前記第１・第２面間の距離が近づくように前記第１・第２部材の少なくとも一方を弾性変形できる連結部と、を有した本体と、
前記第２部材に向かって前記第１面から突き出るように前記第１部材に設けられた刃と、
を備えた開封用カッターであって、
前記第１部材は、前記刃を第１位置から第２位置まで移動できる摺動構造を有し、かつ、
前記第１位置では前記弾性変形により前記刃が前記第２部材の一部分に接触可能である一方、前記第２位置では前記刃が前記第２部材よりも前方に移動することを特徴とする開封用カッター。
【考案の詳細な説明】
【技術分野】
【０００１】
本考案は、一般家庭において、食品包装袋や封筒、又は豆腐包装パック等の被開封物を容易に開封できるカッターに関するものである。
【背景技術】
【０００２】
一般家庭においては、日常的に、食品を包装した袋や封筒を開封する必要がある。特に、飴やスナック菓子等を包装した袋や豆腐を水とともに封入したパッケージは、両手を使って袋やパッケージの開封予定部位の一部を他部から引き離す或いは引き剥がすことで開封できるよう設計されている。
【０００３】
しかしながら、これらを実際に開封しようとする際は、開封予定部位の両部が堅く密着されており、両手を使った人力では、開封予定部位を開封できない或いは開封しづらいといった不具合が多々発生していた。
【０００４】
以上のような不具合が発生した場合、食品包装袋や封筒の場合、一般家庭に通常置かれる公知のカッターやハサミを使用して対処されることが多い。一方、豆腐やゼリー等のパッケージの場合、公知の包丁を使用されることが多い。
【０００５】
しかしながら、前者のカッターやハサミの場合、この目的だけに使用される訳ではないため衛生的では無いといった心配があった。後者の包丁の場合、誤って怪我をしてしまうといった危険があった。
【０００６】
次に、通常の手動利器以外の先行技術を紹介する。
１．食品包装袋や封筒を開封するためのカッター（先行技術）
特許文献１及び２には、食品包装袋等を開封するためのカッターが開示されている。
特許文献３及び非特許文献１には、上記開封機能に加え、追加の機能を提供するカッターが開示されている。具体的には、特許文献３では、カッターの一部が、開封後の袋口を閉じるクリップとして働き、非特許文献１では、カッターの一部が、開封後の袋口を密封できるシーラーとして働く構造を成すものである。
２．豆腐やゼリーのパッケージを開封するためのカッター（先行技術）
特許文献４には、パッケージの開封に適した形状を有した専用ナイフが開示されている。
【０００７】
しかしながら、上記１の袋や封筒を開封するための用途と、上記２のパッケージを開封するための用途と、のどちらの用途にも対応できる使い勝手の良いカッターは、市場の製品には無いばかりか、先行技術上のアイデアとしてですら見つけ出すことはできないのが現状である。
【先行技術文献】
【特許文献】
【０００８】
【特許文献１】特開２００５−０３５６５７号公報
【特許文献２】実開平０６−０６８６７８号公報
【特許文献３】意匠登録第１４５４４２４号公報
【特許文献４】特開２０００−３２５２４４号公報
【非特許文献】
【０００９】
【非特許文献１】株式会社ドリテック商品情報  ＨＳ−１０７  カッターシーラー、［online］、株式会社ドリテック、［平成２５年８月２３日検索］、インターネット＜http://www.dretec.co.jp/products/other/HS-107A.html＞
【考案の概要】
【考案が解決しようとする課題】
【００１０】
本考案は、従来の実情に鑑みて提案されたものであり、食品包装袋や封筒だけでなく、豆腐包装パッケージ等も難なく開封できる使い勝手の良いカッターを提供することを目的とする。
【課題を解決するための手段】
【００１１】
本考案者は、鋭意検討した末、二通り以上の切断方法を容易に生み出すことのできる独特な構造に想到し、この構造を採用したカッターであれば、上記課題を解決できることを見出し、本考案を完成するに至った。
【００１２】
すなわち、本考案は、例えば、次の構成・特徴を採用するものである。
（態様１）
第１面が設けられた第１部材と、前記第１面に対向した第２面が設けられた第２部材と、前記第１・第２部材の一端同士を接続しつつ前記第１・第２面間の距離が近づくように前記第１・第２部材の少なくとも一方を弾性変形できる連結部と、を有した本体と、
前記第２部材に向かって前記第１面から突き出るように前記第１部材に設けられた刃と、
を備えた開封用カッターであって、かつ、
第１位置から第２位置まで前記第２面上を摺動可能なスライドパーツをさらに備え、
前記第１位置では前記弾性変形により前記刃が前記スライドパーツの一部分に接触可能である一方、前記第２位置では前記刃が前記スライドパーツよりも前方に移動することを特徴とする開封用カッター。
（態様２）
前記スライドパーツが前記第２部材から着脱自在に設けられていることを特徴とする態様１に記載の開封用カッター。
（態様３）
前記第２位置にて前記第１部材と前記第２部材とを近づけた際の前記刃と前記スライドパーツの先端との距離が、被開封物の側壁の厚さ以上になるよう前記第２位置が設定されていることを特徴とする態様１又は２に記載の開封用カッター。
（態様４）
前記第１部材が前記本体の上側に設けられた部材であり、かつ、前記第２部材が前記本体の下側に設けられた部材であることを特徴とする態様１〜３のいずれかに記載の開封用カッター。
（態様５）
前記スライドパーツの前記部分が他の部分よりも第１部材側に向かって隆起していることを特徴とする態様１〜４のいずれかに記載の開封用カッター。
（態様６）
前記スライドパーツ及び前記第２部材には、前記スライドパーツを少なくとも前記第１位置及び第２位置で一時的に固定可能な規制手段が設けられていることを特徴とする態様１〜５のいずれかに記載の開封用カッター。
（態様７）
前記第２部材に形成される前記規制手段は前記第２面上に形成された凸部である一方、
前記スライドパーツに形成される前記規制手段は前記凸部に係合可能に形成されていることを特徴とする態様６に記載の開封用カッター。
（態様８）
磁石をさらに備えた態様１〜７のいずれかに記載の開封用カッター。
（態様９）
第１面が設けられた第１部材と、前記第１面に対向した第２面が設けられた第２部材と、前記第１・第２部材の一端同士を接続しつつ前記第１・第２面間の距離が近づくように前記第１・第２部材の少なくとも一方を弾性変形できる連結部と、を有した本体と、
前記第２部材に向かって前記第１面から突き出るように前記第１部材に設けられた刃と、
を備えた開封用カッターであって、
前記第１部材は、前記刃を第１位置から第２位置まで移動できる摺動構造を有し、かつ、
前記第１位置では前記弾性変形により前記刃が前記第２部材の一部分に接触可能である一方、前記第２位置では前記刃が前記第２部材よりも前方に移動することを特徴とする開封用カッター。
【考案の効果】
【００１３】
本考案の開封用カッターによれば、包装構造が異なった様々な種類の被開封物を容易く切断つまり開封することができる。具体的には、本考案のカッターは、刃が設けられた第１部材とこれに対向する第２部材とを有した本体に、さらに第２部材上を少なくとも第１・第２位置に摺動可能な上記スライドパーツを取り付けた構成をしているため、被開封物に合わせて、第１・第２位置を選択し、刃の切断の仕方を変えることができるのである。
【図面の簡単な説明】
【００１４】
【図１】（ａ）は実施例の開封用カッターを示した分解斜視図であり、（ｂ）は（ａ）とは異なる方向から観た分解斜視図である。
【図２】（ａ）は実施例のカッターの斜視図であり、（ｂ）は（ａ）とは異なる方向から観た斜視図である。
【図３】（ａ）は実施例のカッターの右側面図であり、（ｂ）は左側面図である。
【図４】第１位置での刃の切断の仕方を説明した図である。
【図５】第２位置での刃の切断の仕方を説明した図である。
【図６】開封用カッターで被開封物を実際に切断した様子を示した画像である。
【考案を実施するための形態】
【００１５】
以下、本考案を図面に示す実施例に基づき説明するが、本考案は、下記の具体的な実施例に何等限定されるものではない。なお、各図において同一又は対応する要素には同一符号を用いる。
【実施例】
【００１６】
本実施例の開封用カッター（以下、単に「カッター」とも呼ぶ。）１は、図１〜図３に示すように、第１面１１Ａが設けられた第１部材１１と、第１面１１Ａに対向した第２面１２Ａが設けられた第２部材１２と、第１・第２部材１１，１２の一端１１Ｂ，１２Ｂ同士を接続しつつ第１・第２面１１Ａ，１２Ａ間の距離が近づくように第１・第２部材１１，１２の少なくとも一方を弾性変形できる連結部１３と、を有した本体１０を備える。
【００１７】
なお、図示の例では、第１部材１１は本体１０の上側の部材（部分）に相当し、第２部材１２は本体１０の下側の部材（部分）に相当する。第１・第２部材１１，１２が連結部材１３で接続された本体１０は、アルファベットの「Ｕ」の字を横に向けた形状を成す。
【００１８】
さらに、この第１部材１１には、刃２０が設けられており、その先端２０Ａが第１面１１Ａから第２部材１２の第２面１２Ａに向かって突き出すように設けられている。より具体的には、第１部材１１には、刃２０の根元部２０Ｂを収容するための開口部１４（図示では貫通穴１４）が形成されている。
【００１９】
なお、図１に示すように、貫通穴１４は、刃２０の他、刃押さえ部品２１も併せて収容しても良く、これにより刃２０の根元部２０Ｂが堅実に固定されるようになる。また、この刃押さえ部品２１は、刃２０を上側から覆うとともに貫通穴１４を上側から蓋をする蓋部２１Ａを有してもよい。この蓋部２１Ａは、第１部材１１の外側から目視できるため、刃２０の位置を確認（特定）し易く、切断の際に切断位置を狙い易くなるといった追加の利点が得られるようになる。
【００２０】
また、刃２０の設置箇所を含む第１面１１Ａは、第１部材１１の先端１１Ｃに向かって上側にやや反るように傾斜し、その傾斜面１１Ｓに直交した状態で刃２０の先端２０Ａを突き出させることが好ましい。これにより、刃２０で被開封物２を切断するために第１部材１１と第２部材１２とを近づけた際に、傾斜面１１Ｓが第２部材１２の第２面１２Ａと略水平に向き、刃２０の先端２０Ａが被開封物２に垂直に接触する（つまり、突き刺さる）ようになる。
【００２１】
本考案のカッター１は、第２面１２Ａを備えた第２部材１２には、第２面１２Ａ上を第１位置から第２位置まで摺動可能なスライドパーツ３０をさらに備えることに留意されたい。なお、図４は第１位置での刃２０の切断の仕方を説明した図である一方、図５は第２位置での刃２０の切断の仕方を説明した図である。特に、図４（ｂ）及び図５（ｂ）は、それぞれカッター１を第１位置及び第２位置にセットした状態で、カッター１の幅方向の中央位置にて長手方向に沿って破断したカッター１の断面図を示す。
【００２２】
具体的には、第１位置では、第１部材１１或いは第２部材１２の弾性変形により刃２０の先端２０Ａがスライドパーツ３０の一部分（後述の隆起部分）３１に接触可能であり、一方、第２位置では刃２０がスライドパーツ３０の先端３２よりも前方に移動できるようになっている。つまり、第２位置にて第１・第２部材１１，１２を近づけた際には、スライドパーツ３０の該部分３１が第１部材１１の第１面１１Ａに接触することになり、スライドパーツ３０の先端３２よりも前方に位置した刃２０は、第１面１１Ａからの先端２０Ａの突き出し量だけスライドパーツ３０より下方に移動し、ひいては、その突き出し量分だけ被開封物２に突き刺さることになる。
【００２３】
なお、スライドパーツ３０は、図示の例のように、第２部材１２に着脱自在に設けられていることが好ましい。これにより、本体１０と、スライドパーツ３０と、を別々にくまなく洗浄できるようになり、組み付けた状態でのこれらの部材１０，３０の間に付着し易かった汚れや水分を残らず除去できるようになるため、衛生面で好ましいものとなる。
【００２４】
以上、スライドパーツ３０が生む摺動や着脱の機能は、例えば、以下の構造をスライドパーツ３０や第２部材１２に付与することで実現できる。
【００２５】
スライドパーツ３０には、図１（ｂ）に示すように、平板状の基部３３と、基部３３の両端（摺動方向を横切る方向の両端）から下方向に延びた腕部３４Ａ，３４Ｂと、腕部３４Ａ，３４Ｂが互いに対向する内壁面に設けられたレール３５Ａ，３５Ｂと、が設けられている。これらの腕部３４Ａ，３４Ｂと、レール３５Ａ，３５Ｂとは、基部３３の長手方向（つまり、スライドパーツ３０の摺動方向）に沿って延びている。一方、第２部材１２の両側壁（図１では、一方の側壁１２Ｄのみ図示）には、ガイド溝１５Ａ，１５Ｂが設けられている。以上の構成を備えたスライドパーツ３０は、第２部材１２を収容しつつ該第２部材１２に沿って摺動可能な空間を形成するようになる。
【００２６】
さらに、スライドパーツ３０は、図示の例のように、先端３２とは反対側である基端３８側に開口部３７を有する（つまり、基部３３から下方向の当該部分は切欠き部である）ことが好ましく、この開口部３７から、第２部材１２を挿入したり、取り外したりできるようになる。言い換えれば、スライドパーツ３０が第２部材１２に着脱自在に接続できるようになるのである。
【００２７】
また、スライドパーツ３０及び第２部材１２には、スライドパーツ３０を少なくとも第１位置及び第２位置で一時的に固定可能な規制手段が設けられていることが好ましい。上記規制手段の好適な例として、図１に示すように、例えば、第２部材１２側の規制手段として、第２面１２Ａ上に凸部１６が形成される一方、スライドパーツ３０側の規制手段として、凸部１６に係合可能な係合部材３６が形成される。
【００２８】
なお、係合部材３６を、図４，図５に示すように、その先端３６Ａが第２面１２Ａに対し垂直（つまり上下）に最も移動（弾性変形）できるように基端３６Ｂのみをスライドパーツ３０に接続した構成が好ましい。これにより、スライドパーツ３０を第２部材１２上で摺動する際や着脱する際に、係合部材３６の先端３６Ａが凸部１６に嵌合した音が発生したり、嵌合が外れて係合部材３６がその弾性力によって第２面１２Ａに打叩された音が発生したりするようになるため、これらの音によっても、スライドパーツ３０の位置や着脱の確認ができるようになる。
【００２９】
また、第２部材１２の第２面１２Ａ上に凸部１６をその長手方向に沿って多数形成したり、長手方向に連続した溝（図示せず）を形成したりするようにしてもよい。これにより、これらの凸部１６や溝に係合部材３６が順次、弾性的に係合するようになり、第１・第２位置以外の所望の位置にてスライドパーツ３０を一時的に固定することができるようになる。
【００３０】
（本実施例のカッター１の使用方法及び作用）
次に、上記構成のカッター１の使用方法及び作用について説明する。
【００３１】
１．被開封物が食品包装袋や封筒の場合（第１位置での使用）
（１）被開封物２（２Ａ）が食品包装袋や封筒の場合は、先ず、上記構成のスライドパーツ３０を第２面１２Ａ上に摺動して（連結部１３から引っ張り出した状態にして）、第１位置に固定（一時的に固定）する（図４（ａ）を参照）。
（２）次に、第１部材１１と第２部材１２との間に被開封物２Ａたる包装袋や封筒を挿入し、これらの部材１１，１２を掴んだ指によってこれらの部材１１，１２を互いに近づけて被開封物２Ａを挟み込む。そうすると、第１面１１Ａから突き出た刃２０の先端２０Ａが、第２部材１２の一部分３１上に載置された被開封物２Ａに局所的に接触（点接触）するようになる（図４（ｂ）を参照）。
（３）そして、図６（ａ）に示すように、この被開封物２Ａを挟み込んだ状態のまま、カッター１を横方向（つまり、被開封物２Ａの挿入方向と交差する方向）に引っ張る。これにより、先端２０Ａが被開封物２Ａに接触する箇所が移動し、移動量の分に対応して開封（切断）されるようになる。
【００３２】
なお、スライドパーツ３０において、刃２０の先端２０Ａが当接する部分３１が他の部分よりも第１部材１１側に向かって隆起した形状（図示の例では、摺動方向を横切る方向の断面が半円形状）を成すことが好ましい。これにより、切断時に当該部分３１への先端２０Ａの局所的な接触（点接触或いは線接触）を確保でき、常に切れ味の良いカッター１を提供できるようになる。
【００３３】
２．被開封物が豆腐やゼリーのパッケージの場合（第２位置での使用）
被開封物２（２Ｂ）が豆腐、ゼリー、プリン、ところてん等を収容する包装パッケージの場合は、本考案のカッター１を以下のように使用する。この包装パッケージとしては、図５（ｂ）に示すように、矩形や円形を成す底部３と、この底部３から立設するとともに上端にて外側に張り出したフランジ部５を備えた側壁４と、上面シール６と、から構成された良く市販される公知の容器体２Ｂを想定している。ここで、底部３と側壁４とは、通常、比較的厚くて丈夫なプラスチックから作られ、豆腐等の食品を型崩れさせずに収容可能な容器部分を形成する。一方、上面シール６は薄い膜状体であって、フランジ部５の上面かつ外周に亘って接着される。
【００３４】
（１）先ず、上記構成のスライドパーツ３０を第２面１２Ａ上に摺動して（連結部１３に向かって縮めた状態にして）第２位置に固定（一時的に固定）する（図５（ａ）を参照）。
（２）次に、第１部材１１と第２部材１２との間に側壁４のフランジ部５を挿入し、刃２０がフランジ部５より内側にある上面シール６の真上に至るまでフランジ部４を第１・第２部材１１，１２間に引き入れる。さらに、これらの部材１１，１２を掴んだ指によってこれらの部材１１，１２を互いに近づけて被開封物２Ｂを挟み込む。そうすると、第１面１１Ａから突き出た刃２０の先端２０Ａが、比較的丈夫なフランジ部５を避けて上面シール６の一点ＣＰのみに接触し、その地点ＣＰから突き刺さって切断するようになる（図５（ｂ）を参照）。
（３）そして、被開封物２Ｂに刃２０を突き刺した状態のまま、カッター１をフランジ部５の周囲方向（例えば、横方向や円周方向）に沿って動かす。これにより、先端２０Ａが被開封物２Ｂ（の上面シール６）に接触する箇所ＣＰが移動し、移動量の分に対応して開封（切断）されるようになる（図６（ｂ）を参照）。
【００３５】
なお、本考案のカッター１は、第２位置にて第１部材１１と第２部材１２とを近づけた際の刃２０とスライドパーツ３０の先端３２との距離ｄ（図示せず）が、被開封物２Ｂの側壁４の厚さ以上になるよう第２位置が設定されていることが好ましい。さらに好ましくは、側壁４の厚さｔとした場合に、距離ｄをｔ≦ｄ≦（ｔ＋３ｍｍ）である。
【００３６】
これにより、上記第２位置でカッター１を使用する際、スライドパーツ３０の先端３２がフランジ部５より下側の側壁４に当接するまでフランジ部５を第１・第２部材１１，１２間に引き入れるだけで、上面シール６上の容易に最も好ましい切断位置ＣＰに刃２０を位置決めすることができる。さらに、位置決めだけでなく、カッター１をフランジ部５に沿って移動させる際も側壁４が移動するためのガイドとなるため、最も好ましいラインを描きながら上面シール６を容易に切断することが可能になる。
【００３７】
なお、フランジ部５の突出長さが様々でも第１・第２部材１１，１２の隙間に引き入れられるため、フランジ部５が本考案のカッター１のいずれかの部材に干渉する危険は無い。
【００３８】
また、カッター１は磁石をさらに備えていてもよい。例えば、図示のように、薄いシート状磁石１８を第２部材１２の底面１２Ｚ（好ましくは、その凹部１２Ｍ）に設けることが好ましい。これにより、カッター１を使用しない時には、冷蔵庫の壁等の金属面にカッター１を貼り付けておくことができる。
【００３９】
また、第１部材１１の上面１１Ｚや第２部材１２の底面１２Ｚには、指の形状に適合するとともにこれらの指でもって第１・第２部材１１，１２が掴みやすくなる形状を有した指当て部１７Ａ，１７Ｂが形成されることが好ましい。図示の例では、第２部材１２の底面１２Ｚには、他の部分より凹んだ凹部１７Ｂが形成されており、図示の例では、凹部１７Ｂの最も窪んだ部分が、摺動方向を横切る方向に沿って延びている。一方、第１部材１１の上面１１Ｚには、先端１１Ｃに近づくに従って高くなる傾斜部１７Ａが形成されている。この例示の構成により、親指や人差し指を指当て部１７Ａ，１７Ｂにフィットさせながら第１・第２部材１１，１２を確実に掴んで動かすことができるようになる。
【００４０】
（変形例）
以上、図面を参照にしながら、実施例のカッター１の上記構成を説明したが、本考案はこれに限定されない。例えば、カッター１に、スライドパーツ３０を設けず、第１部材１１にスライドパーツ３０が果たす役割・機能を持たせるようにしてもよい。
【００４１】
具体的には、カッター１には、第１面１１Ａが設けられた第１部材１１と、第１面１１Ａに対向した第２面１２Ａが設けられた第２部材１２と、第１・第２部材１１，１２の一端１１Ｂ，１２Ｂ同士を接続しつつ第１・第２面１１Ａ，１２Ａ間の距離が近づくように第１・第２部材１１，１２の少なくとも一方を弾性変形できる連結部１３と、を有した本体１０を設けるとともに、第２部材１２に向かって第１面１１Ａから突き出るように刃２０を第１部材１１に設けるようにし、さらに、以下の部材に以下の特徴を持たせる。
【００４２】
つまり、第１部材１１には、刃２０（刃２０を含んだ部分であっても良い。）を第１位置から第２位置まで移動できるように、図示しない摺動構造を持たせ、かつ、第１位置では前記弾性変形により刃２０が第２部材１２の一部分に接触可能である一方、第２位置では刃２０が第２部材１２よりも前方に移動する。これにより、第２位置にて第１・第２部材１１，１２を近づけた際には、第２部材１２の前記部分が第１部材１１の第１面１１Ａに接触することになり、第２部材１２よりも前方に位置した刃２０の先端２０Ａは、第１面１１Ａからの突き出し量だけ第２部材１２より下方に移動し、ひいては、その突き出し量分だけ被開封物２に突き刺さることになる。
【００４３】
以上のような変形例の構成によっても、上記実施例と同様な機能を奏することができるようになる。
【産業上の利用可能性】
【００４４】
本考案の開封用カッターによれば、食品包装袋や封筒の開封用カッターとしてだけでなく、豆腐用パッケージ等の開封用カッターとしても使用でき、従来の同種の製品より適用できる対象・用途を著しく広げることができるようになった。
【００４５】
このように、本考案の開封用カッターは、産業上の利用価値及び産業上の利用可能性が非常に高い。
【符号の説明】
【００４６】
１    カッター
１０    本体
１１，１２    第１部材，第２部材
１１Ａ，１２Ａ    第１部材の第１面，第２部材の第２面
１１Ｂ，１２Ｂ    第１部材の一端（基端），第２部材の一端（基端）
１３    連結部
１４    開口部（貫通穴）
１５Ａ，１５Ｂ    ガイド溝
１６  凸部
２０    刃
２０Ａ，２０Ｂ    刃の先端，根元部
２１    刃押さえ部品
３０    スライドパーツ
３１    スライドパーツの部分（隆起部分）
３２    スライドパーツの先端
３３    基部
３４Ａ，３４Ｂ    腕部
３５Ａ，３５Ｂ    レール
３６    係合部材
【図１】
0003187421.tif 000003
【図２】
0003187421.tif 000004
【図３】
0003187421.tif 000005
【図４】
0003187421.tif 000006
【図５】
0003187421.tif 000007
【図６】
0003187421.tif 000008
【手続補正書】
【提出日】平成25年9月25日(2013.9.25)
【手続補正１】
【補正対象書類名】実用新案登録請求の範囲
【補正対象項目名】全文
【補正方法】変更
【補正の内容】
【実用新案登録請求の範囲】
【請求項１】
第１面が設けられた第１部材と、前記第１面に対向した第２面が設けられた第２部材と、前記第１・第２部材の一端同士を接続しつつ前記第１・第２面間の距離が近づくように前記第１・第２部材の少なくとも一方を弾性変形できる連結部と、を有した本体と、
前記第２部材に向かって前記第１面から突き出るように前記第１部材に設けられた刃と、
を備えた開封用カッターであって、かつ、
第１位置から第２位置まで前記第２面上を摺動可能なスライドパーツをさらに備え、
前記第１位置では前記弾性変形により前記刃が前記スライドパーツの一部分に接触可能である一方、前記第２位置では前記刃が前記スライドパーツよりも前方に移動することを特徴とする開封用カッター。
【請求項２】
前記スライドパーツが前記第２部材から着脱自在に設けられていることを特徴とする請求項１に記載の開封用カッター。
【請求項３】
前記第２位置にて前記第１部材と前記第２部材とを近づけた際の前記刃と前記スライドパーツの先端との距離が、被開封物の側壁の厚さ以上になるよう前記第２位置が設定されていることを特徴とする請求項１又は２に記載の開封用カッター。
【請求項４】
前記第１部材が前記本体の上側に設けられた部材であり、かつ、前記第２部材が前記本体の下側に設けられた部材であることを特徴とする請求項１〜３のいずれかに記載の開封用カッター。
【請求項５】
前記刃が接触可能である前記スライドパーツの前記一部分が他の部分よりも第１部材側に向かって隆起していることを特徴とする請求項１〜４のいずれかに記載の開封用カッター。
【請求項６】
前記スライドパーツ及び前記第２部材には、前記スライドパーツを少なくとも前記第１位置及び第２位置で一時的に固定可能な規制手段が設けられていることを特徴とする請求項１〜５のいずれかに記載の開封用カッター。
【請求項７】
前記第２部材に形成される前記規制手段は前記第２面上に形成された凸部である一方、
前記スライドパーツに形成される前記規制手段は前記凸部に係合可能に形成されていることを特徴とする請求項６に記載の開封用カッター。
【請求項８】
前記第１部材及び前記第２部材の少なくとも一方に設けられた磁石をさらに備えた請求項１〜７のいずれかに記載の開封用カッター。
【請求項９】
第１面が設けられた第１部材と、前記第１面に対向した第２面が設けられた第２部材と、前記第１・第２部材の一端同士を接続しつつ前記第１・第２面間の距離が近づくように前記第１・第２部材の少なくとも一方を弾性変形できる連結部と、を有した本体と、
前記第２部材に向かって前記第１面から突き出るように前記第１部材に設けられた刃と、
を備えた開封用カッターであって、
前記第１部材は、前記刃を第１位置から第２位置まで移動できる摺動構造を有し、かつ、
前記第１位置では前記弾性変形により前記刃が前記第２部材の一部分に接触可能である一方、前記第２位置では前記刃が前記第２部材よりも前方に移動することを特徴とする開封用カッター。
【手続補正２】
【補正対象書類名】明細書
【補正対象項目名】００１２
【補正方法】変更
【補正の内容】
【００１２】
すなわち、本考案は、例えば、次の構成・特徴を採用するものである。
（態様１）
第１面が設けられた第１部材と、前記第１面に対向した第２面が設けられた第２部材と、前記第１・第２部材の一端同士を接続しつつ前記第１・第２面間の距離が近づくように前記第１・第２部材の少なくとも一方を弾性変形できる連結部と、を有した本体と、
前記第２部材に向かって前記第１面から突き出るように前記第１部材に設けられた刃と、
を備えた開封用カッターであって、かつ、
第１位置から第２位置まで前記第２面上を摺動可能なスライドパーツをさらに備え、
前記第１位置では前記弾性変形により前記刃が前記スライドパーツの一部分に接触可能である一方、前記第２位置では前記刃が前記スライドパーツよりも前方に移動することを特徴とする開封用カッター。
（態様２）
前記スライドパーツが前記第２部材から着脱自在に設けられていることを特徴とする態様１に記載の開封用カッター。
（態様３）
前記第２位置にて前記第１部材と前記第２部材とを近づけた際の前記刃と前記スライドパーツの先端との距離が、被開封物の側壁の厚さ以上になるよう前記第２位置が設定されていることを特徴とする態様１又は２に記載の開封用カッター。
（態様４）
前記第１部材が前記本体の上側に設けられた部材であり、かつ、前記第２部材が前記本体の下側に設けられた部材であることを特徴とする態様１〜３のいずれかに記載の開封用カッター。
（態様５）
前記刃が接触可能である前記スライドパーツの前記一部分が他の部分よりも第１部材側に向かって隆起していることを特徴とする態様１〜４のいずれかに記載の開封用カッター。
（態様６）
前記スライドパーツ及び前記第２部材には、前記スライドパーツを少なくとも前記第１位置及び第２位置で一時的に固定可能な規制手段が設けられていることを特徴とする態様１〜５のいずれかに記載の開封用カッター。
（態様７）
前記第２部材に形成される前記規制手段は前記第２面上に形成された凸部である一方、
前記スライドパーツに形成される前記規制手段は前記凸部に係合可能に形成されていることを特徴とする態様６に記載の開封用カッター。
（態様８）
前記第１部材及び前記第２部材の少なくとも一方に設けられた磁石をさらに備えた態様１〜７のいずれかに記載の開封用カッター。
（態様９）
第１面が設けられた第１部材と、前記第１面に対向した第２面が設けられた第２部材と、前記第１・第２部材の一端同士を接続しつつ前記第１・第２面間の距離が近づくように前記第１・第２部材の少なくとも一方を弾性変形できる連結部と、を有した本体と、
前記第２部材に向かって前記第１面から突き出るように前記第１部材に設けられた刃と、
を備えた開封用カッターであって、
前記第１部材は、前記刃を第１位置から第２位置まで移動できる摺動構造を有し、かつ、
前記第１位置では前記弾性変形により前記刃が前記第２部材の一部分に接触可能である一方、前記第２位置では前記刃が前記第２部材よりも前方に移動することを特徴とする開封用カッター。